(57)【特許請求の範囲】
【請求項１】
印字装置にその後方から連続紙を給紙するトラクタの上部に配置されて前記印字装置に単票を給紙するオートシートフィーダと、前記印字装置の後部に配置されて前記オートシートフィーダを給紙位置から前記トラクタの上面を開放する後方位置に向けて後退自在に支持する支持手段とを具備し、
前記支持手段は、前記オートシートフィーダを給紙位置から後方位置に向けて直線方向に移動自在に支持するとともに、前記給紙位置から前記後方位置に向けて一定距離離れた任意位置で前記印字装置側の前端側が上方に向けて回動可能に支持するように構成されている、給紙装置。
【請求項２】
前記支持手段は、前部にデータ入力用のキーボードを備えた装置本体の後部に配置される請求項１記載の給紙装置。
【請求項３】
印字装置にその後方から連続紙を給紙するトラクタの上方に配置されて前記印字装置に単票を給紙するオートシートフィーダと、前記印字装置の後部側で対向配置されて前記オートシートフィーダを給紙位置から前記トラクタの上方空間を開放する後方位置に向けて後退自在に支持する支持体と、前記支持体と対向する前記オートシートフィーダの側面に回転自在に支持されたスプロケットホイール又はギヤ等の回転輪と、この回転輪を正逆回転させる駆動手段と、前記支持体に前方から後方に延出するように固定的に設けられ前記回転輪が噛合されたラック部とを具備する給紙装置。
【請求項４】
前記支持体は、前記給紙位置から前記後方位置への後退期間の前期間では前記オートシートフィーダの直線方向の動きのみを許容し後期間では前記回転輪を支点とする前記オートシートフィーダのその前端が持ち上がる方向の回動運動を許容する規制ガイドを具備する請求項３記載の給紙装置。
【請求項５】
印字装置にその後方から連続紙を給紙するトラクタの上部に配置されて前記印字装置に単票を給紙するオートシートフィーダと、前記印字装置の後部側で対向配置された支持体と、前記オートシートフィーダの両側面に固定的に支持されたスプロケットホイール又はギヤ等の回転輪と、円筒部の一部に切欠部が形成されて前記回転輪と同軸上で一体に回動可能な異形軸と、前記支持体に形成されて前記異形軸の回転運動を阻止した状態で前記オートシートフィーダを給紙位置から前記トラクタの上部空間を開放する後方位置に向けて移動可能なように前記異形軸を直線方向に摺動可能に支持する長孔部とこの長孔部の後端から拡開されて前記異形軸の回動運動を許容する拡開円孔部とを有するガイド溝と、前記支持体の前記ガイド溝に沿う直線方向に往復動自在に設けられて前記回転輪に噛合されたラック状の可動部材と、前記可動部材に直線方向の駆動力を付与する駆動手段とを具備する給紙装置。
【発明の詳細な説明】
【０００１】
【発明の属する技術分野】
本発明は、印字装置にその後方から連続紙と単票とを選択的に給紙する給紙装置に関する。
【０００２】
【従来の技術】
従来、連続紙と単票とを使い分ける印字装置において、連続紙を給紙するトラクタと単票を給紙するオートシートフィーダとの前方に配置されて前方より操作する印字装置がある。この場合、一般的にはトラクタの上方にオートシートフィーダが配置されている。
【０００３】
【発明が解決しようとする課題】
ところで、オフィス等では、スペースの都合で印字装置の隣に他の器物が配置されている場合が多々ある。この場合には、印字装置の前面側から用紙の交換或いは補給を行うことになるが、トラクタの上部にオートシートフィーダが配置されているとトラクタが見にくいため、連続紙の補給作業が煩雑となる。この煩雑さはオートシートフィーダをトラクタよりさらに後方に配置することにより緩和されると思うが、奥行き方向のスペースが増大するため実用的でない。特に、前面側にキーボードを具備する印字装置の場合は、奥行き方向のスペースが少ないと、キーボードを机の手前に置かなければならなくなる。この場合にはキーボードを操作するときに机の上に腕を置くことができず、操作性が悪くなるという問題が生ずる。
【０００４】
【課題を解決するための手段】
請求項１記載の発明は、印字装置にその後方から連続紙を給紙するトラクタの上部に配置されて前記印字装置に単票を給紙するオートシートフィーダと、前記印字装置の後部に配置されて前記オートシートフィーダを給紙位置から前記トラクタの上面を開放する後方位置に向けて後退自在に支持する支持手段とを具備する。前記支持手段は、前記オートシートフィーダを給紙位置から後方位置に向けて直線方向に移動自在に支持するとともに、前記給紙位置から前記後方位置に向けて一定距離離れた任意位置で前記印字装置側の前端側が上方に向けて回動可能に支持するように構成されている。
【０００５】
したがって、トラクタに連続紙を補給する場合には、オートシートフィーダを給紙位置から後方位置に後退させてトラクタの上方空間を開放することが可能となる。そして、オートシートフィーダを直線方向に後退させることにより、オートシートフィーダを印字装置に干渉させることなく回動させてトラクタの上方空間を開放することが可能となる。
【００１０】
請求項２記載の発明は、請求項１記載の発明において、前記支持手段は、前部にデータ入力用のキーボードを備えた装置本体の後部に配置される。
【００１１】
したがって、支持手段により印字装置の後方方向へのオートシートフィーダの移動距離を短くしてトラクタの上方空間を開放することが可能であるので、印字装置の後方のスペースを短縮することが可能となる。これにより、キーボードを置くスペースに余裕をもたせることが可能となる。
【００１２】
請求項３記載の発明は、印字装置にその後方から連続紙を給紙するトラクタの上方に配置されて前記印字装置に単票を給紙するオートシートフィーダと、前記印字装置の後部側で対向配置されて前記オートシートフィーダを給紙位置から前記トラクタの上方空間を開放する後方位置に向けて後退自在に支持する支持体と、前記支持体と対向する前記オートシートフィーダの側面に回転自在に支持されたスプロケットホイール又はギヤ等の回転輪と、この回転輪を正逆回転させる駆動手段と、前記支持体に前方から後方に延出するように固定的に設けられ前記回転輪が噛合されたラック部とを具備する。
【００１３】
したがって、回転輪は回転によりラック部上を転動するため、回転輪を一方向に回転させることでオートシートフィーダを給紙位置から後方位置に後退させてトラクタの上方空間を開放することが可能となる。
【００１４】
請求項４記載の発明は、請求項３記載の発明において、前記支持体は、前記給紙位置から前記後方位置への後退期間の前期間では前記オートシートフィーダの直線方向の動きのみを許容し後期間では前記回転輪を支点とする前記オートシートフィーダのその前端が持ち上がる方向の回動運動を許容する規制ガイドを具備する。
【００１５】
したがって、回転輪は回転によりラック部上を転動するため、回転輪を一方向に回転させることでオートシートフィーダを給紙位置から後方位置に向けて後退させる。この際に、後退期間の前期間ではオートシートフィーダを規制ガイドにより直線的に後退させ、後期間ではオートシートフィーダをその前端が持ち上がる方向に回動させてトラクタの上方空間を開放することが可能となる。
【００１６】
請求項５記載の発明は、印字装置にその後方から連続紙を給紙するトラクタの上部に配置されて前記印字装置に単票を給紙するオートシートフィーダと、前記印字装置の後部側で対向配置された支持体と、前記オートシートフィーダの両側面に固定的に支持されたスプロケットホイール又はギヤ等の回転輪と、円筒部の一部に切欠部が形成されて前記回転輪と同軸上で一体に回動可能な異形軸と、前記支持体に形成されて前記異形軸の回転運動を阻止した状態で前記オートシートフィーダを給紙位置から前記トラクタの上部空間を開放する後方位置に向けて移動可能なように前記異形軸を直線方向に摺動可能に支持する長孔部とこの長孔部の後端から拡開されて前記異形軸の回動運動を許容する拡開円孔部とを有するガイド溝と、前記支持体の前記ガイド溝に沿う直線方向に往復動自在に設けられて前記回転輪に噛合されたラック状の可動部材と、前記可動部材に直線方向の駆動力を付与する駆動手段とを具備する。
【００１７】
したがって、可動部材を直線方向に駆動する駆動力は回転輪に作用する。このときに、異形軸がガイド溝の長孔部に回り止めされている期間では回転輪も回転運動が阻止されるため、オートシートフィーダが異形軸及び回転輪とともに給紙位置から後方位置に向けて直線方向に後退し、異形軸がガイド溝の拡開円孔部に達した時点では、オートシートフィーダが後方位置に達し異形軸及び回転輪とともに前端が持ち上がる方向に回動しうるため、トラクタの上方空間を開放する。
【００１８】
【発明の実施の形態】
本発明の第一の実施の形態を図１ないし図５に基づいて説明する。まず、印字装置及びオートシートフィーダの概略構成を図１に示す。この印字装置Ｐの筐体１には印字部２が設けられている。この印字部２はキャリア（図示せず）に搭載されたドットプリンタヘッド３と、このドットプリンタヘッド３に対向する平型のプラテン４とにより形成されている。ドットプリンタヘッド３が搭載されたキャリアはキャリアシャフト（図示せず）により移動自在に支持され、図示しない駆動部により往復駆動されるように構成されている。
【００１９】
また、筐体１の前面には表示器（ＬＣＤ）５が設けられ、その下方にはキーボード６が設けられている。さらに、筐体１の内部には、キーボード６の近傍に形成された手差口７から印字部２に至る用紙搬送路８と、筐体１の後面に形成された給紙口９，１０を用紙搬送路８に接続する用紙搬送路１１とが形成されている。用紙搬送路８には対をなす複数組の搬送ローラ１２が配列され、印字部２の上部には印字済みの用紙を排紙受け１３に向けて排紙する排紙ローラ１４が配列されている。もう一つの用紙搬送路１１には、給紙口９から給紙される単票Ｓ、或いは給紙口１０から給紙される連続紙を印字部２に向けて搬送する搬送ローラ１５が設けられている。
【００２０】
さらに、筐体１の後部両側には支持体１６が相対向して固定的に設けられ、これらの支持体１６には、連続紙を給紙口１０に向けて給紙するトラクタ１７、単票Ｓを給紙口９に向けて給紙するオートシートフィーダ１８が支持されている。
【００２１】
オートシートフィーダ１８は、本体ケース１９の内部に、スプリング２０により上方に付勢された底板２１と、この底板２１に載置された単票Ｓを一枚ずつ給紙する給紙ローラ２２と、この給紙ローラ２２により給紙された単票Ｓの重送を防止する分離ローラ２３と、これらの給紙ローラ２２及び分離ローラ２３を駆動するモータ（図示せず）とを具備する。なお、印字装置Ｐは、トラクタ１７による連続紙の給紙、オートシートフィーダ１８による単票Ｓの給紙、手差口７からの種々の用紙の給紙を選択することができる。
【００２２】
ここで、図２ないし図５に基づいて、オートシートフィーダ１８を給紙位置からトラクタ１７（図１参照）の上面を開放する後方位置に向けて後退自在に支持する支持手段２４の構成について説明する。図２ないし図４における１６ａは、相対向する支持体１６を連結する連結部材である。
【００２３】
オートシートフィーダ１８の本体ケース１９の両側には給紙方向と直交する通しシャフト２５が軸受片２６を介して回転自在に支持され、この通しシャフト２５の両端は走行板２７に設けたブッシュ２８に回転自在に支持されている。走行板２７には支持体１６を上下方向で挾持する複数のガイドローラ２９が回転自在に設けられている。すなわち、オートシートフィーダ１８は、通しシャフト２５とガイドローラ２９と走行板２７とを介して支持体１６に摺動自在に支持されている。さらに、通しシャフト２５の両端部には回転輪であるスプロケットホイール３０が固定的に嵌合され、このスプロケットホイール３０に噛合されたラック部３１が支持体１６に一体に形成されている。なお、回転輪としてスプロケットホイール３０を用いた場合、ラック部３１の複数の歯は断面が円形の突起により形成することがスプロケットホイール３０を円滑に回転させる上で望ましい。回転輪としてギヤを用いた場合には、台形状の歯を有するラックをラック部として用いる。
【００２４】
図５に示すように、左右の走行板２７のうちの一方には、駆動手段としての正逆回転自在のモータ３２が固定され、このモータ３２の回転軸３３は前述したブッシュ２８の内方において通しシャフト２５の一端に回転方向には回り止めされた状態で連結されている。
【００２５】
したがって、モータ３２によりスプロケットホイール３０を回転させるとスプロケットホイール３０がラック部３１上を転動するので、オートシートフィーダ１８は直線方向に移動する。図２ないし図４において、スプロケットホイール３０を時計方向に回転させた場合は、オートシートフィーダ１８は図２に示す給紙位置から後方に直線的に移動する。そして、オートシートフィーダ１８の本体ケース１９の両側にはローラ３４が回転自在に設けられ、これらのローラ３４に係合する規制ガイド３５が支持体１６に固定的に設けられている。これらの規制ガイド３５は、オートシートフィーダ１８を給紙位置から後方位置への後退期間の前期間ではオートシートフィーダ１８の直線方向の動きのみを許容し、後期間では通しシャフト２５を支点とするオートシートフィーダ１８のその前端が持ち上がる方向の回動運動を許容するように、Ｕ字形の形状に規制されている。さらに、規制ガイド３５は、その底部にローラ３４が係合した状態を検出するセンサ（図示せず）が内臓されている。
【００２６】
さらに、図５に示すように、オートシートフィーダ１８の本体ケース１９の下部中央にはフック状の部材３６が固定され、モータ３２に駆動される通しシャフト２５の一方向の回転をフック部材３６に伝達するスプリングクラッチ３７が設けられている。
【００２７】
このような構成において、オペレータが印字装置Ｐのキーボード６側に位置してトラクタ１７に連続紙を補給する場合には、印字装置Ｐの筐体１越しにトラクタ１７を見ることになるが、トラクタ１７の上方空間がオートシートフィーダ１８により覆われているので見にくい。しかし、本実施の形態では、オートシートフィーダ１８が給紙位置に位置する図２の状態から、モータ３２によりスプロケットホイール３０及び通しシャフト２５を時計方向に回転させると、スプロケットホイール３０がラック部３１上を転動し、オートシートフィーダ１８が後方上部（図２ないし図４における紙面上で右上方向）に直線的に移動し始める。このとき、通しシャフト２５の時計方向の回転力がスプリングクラッチ３７を介してフック部材３６に作用するが、オートシートフィーダ１８が後方に向けて退避する退避期間の前期間では、ローラ３４が規制ガイド３５に係合しているため、通しシャフト２５を支点とするオートシートフィーダ１８の回動運動が阻止される。
【００２８】
図３に示すように、ローラ３４が規制ガイド３５の拘束状態から開放されたとき以降（オートシートフィーダ１８の退避期間の後期間）では、オートシートフィーダ１８はスプロケットホイール３０の回転により後方位置に移動するとともにスプロケットホイール３０及び通しシャフト２５を支点として、図４に示すように前端側（図１に示す印字装置Ｐ側）が上方に向かう方向に回動する。
【００２９】
以上のように、トラクタ１７に連続紙を補給する場合には、オートシートフィーダ１８を給紙位置から後方位置に後退させてトラクタ１７の上方空間を開放することができるため、印字装置Ｐの前面側からのトラクタ１７の見通しをよくすることができる。これにより、連続紙の補給を容易に行うことができる。
【００３０】
この場合、オートシートフィーダ１８を印字装置Ｐ側となる前端側が上部に向かうように回動させることができるので、オートシートフィーダ１８の後方への移動距離を長くしなくてもトラクタ１７の上方空間を広く開放することができる。したがって、奥方向への設置スペースを短縮することができる。また、奥方向へのスペースを広げる必要がない分だけ、キーボード６の手前側にオペレータの腕を置くスペースを確保することができる。
【００３１】
さらに、図１に示すように、オートシートフィーダ１８が給紙位置に位置する状態では、前端部が印字装置Ｐの筐体１の内部に入り込んでいるが、オートシートフィーダ１８を給紙位置から後方位置に向けて直線方向に移動自在に支持するとともに、給紙位置から後方位置に向けて一定距離離れた任意位置で印字装置Ｐ側の前端側が上方に向けて回動させることができるため、オートシートフィーダ１８を印字装置Ｐに干渉させることなく回動させてトラクタ１７の上方空間を開放することができる。これにより、筐体１の後面にオートシートフィーダ１８との干渉を避けるための凹状の逃げを形成する必要がない。これにより、筐体１の後面のデザインを損なうことがない。
【００３２】
図４に示す状態でトラクタ１７に連続紙を補給した後、モータ３２によりスプロケットホイール３０及び通しシャフト２５を反時計方向に回転させると、スプロケットホイール３０がラック部３１上を転動するため、オートシートフィーダ１８が給紙位置に向けて復帰する。この復帰過程の初期ときに、本体ケース１９は通しシャフト２５との摩擦力により反時計方向に回動しながら印字装置Ｐ側に復帰するので、ローラ３４が規制ガイド３５の端部３５ａで支えられ、ローラ３４が規制ガイド３５の底部に達するとその状態をセンサが検出するので、その検出信号を基にモータ３２への通電を遮断することで、オートシートフィーダ１８を給紙位置で静止させることができる。
【００３３】
なお、スプロケットホイール３０を駆動する駆動手段は、モータ３２を用いずに手動により回転させるように構成することも可能である。また、オートシートフィーダ１８を手動により回動させる構成してもよい。
【００３４】
次に、本発明の第二の実施の形態を図６ないし図９に基づいて説明する。前実施の形態と同一部分については同一符号を用い説明も省略する。印字装置Ｐの構成は前実施の形態の場合と同様であるので、オートシートフィーダ１８を給紙位置からトラクタ１７（図１参照）の上面を開放する後方位置に向けて後退自在に支持する支持手段３８の構成についてのみ説明する。
【００３５】
印字装置Ｐの後部両側には相対向する支持体３９が固定され、これらの支持体３９は連結部材３９ａにより連結されている。オートシートフィーダ１８の本体ケース１９の両側に固定されたブラケット４０には、給紙方向と直交する通しシャフト４１が固定され、この通しシャフト４１の両端部には、回転輪であるギヤ４２が固定的に嵌合されている。これらのギヤ４２は異形軸４３と一体に形成されている。異形軸４３は円筒部４３ａの一部に切欠部４３ｂを形成した断面形状をもつ。
【００３６】
支持体３９には、異形軸４３の切欠部４３ｂを摺動自在に案内する長孔部４４ａとこの長孔部４４ａの後端から拡開されて異形軸４３の回動運動を許容する拡開円孔部４４ｂとを有するガイド溝４４が形成されている。長孔部４４ａの幅は異形軸４３の切欠部４３ｂの対辺距離より僅かに大きい寸法に定められ、拡開円孔部４４ｂの半径は異形軸４３の円筒部４３ａの半径より僅かに大きな寸法に定められている。また、支持体３９には、ギヤ４２に噛合される歯（図示せず）がラック状に形成された可動部材４５をガイド溝４４に沿う直線方向に沿って摺動自在に案内するレール４６が形成されている。
【００３７】
そして、可動部材４５に直線方向の駆動力を付与する駆動手段４７が支持体３９に設けられている。この駆動手段４７は、支持体３９に支軸４８により回動自在に保持された操作レバー４９と、この操作レバー４９に一体に形成された扇形ギヤ５０に噛合されて支軸５１と一体に回転する伝動ギヤ５２と、この伝動ギヤ５２に噛合された扇形ギヤ５３を有して支軸５４を中心に回転するレバー５５と、このレバー５５と可動部材４５とを連結するリンク５６とにより形成されている。なお、操作レバー４９は一方の支持体３９にのみ設けられているが、左右の支持体３９に設けた伝動ギヤ５２を支軸５１によって同軸上で連結することにより、一つの操作レバー４９で左右で対をなす伝動ギヤ５２を回転させることができる。また、左右の支持体３９には、レバー５５の回動範囲を規制するストッパ５７と、オートシートフィーダ１８の本体ケース１９の両側面に回転自在に設けたローラ５８に当接してオートシートフィーダ１８の給紙位置を定めるＵ字形の位置決めガイド５９とが設けられている。
【００３８】
このような構成において、図６に示すように、オートシートフィーダ１８が給紙位置に位置する状態で、操作レバー４９を印字装置Ｐ側（図２において矢印Ｆ方向）に倒すと、図７に示すようにレバー５５が反時計方向に回動してリンク５６を押すため、可動部材４５がリンク５６に押されて拡開円孔部４４ｂ側に移動する。このとき、異形軸４３の切欠部４３ｂがガイド溝４４の長孔部４４ａにより回り止めされて移動する過程ではギヤ４２及び通しシャフト４１は回転しない。したがって、通しシャフト４１が固定されているオートシートフィーダ１８は印字装置Ｐの後方となる直線方向に後退する。この後退動作の終期では、ローラ５８がストッパ５７から外れ、異形軸４３が拡開円孔部４４ｂに達すると、拡開円孔部４４ｂでの異形軸４３の回動運動が許容されるため、なおも後方に押される可動部材４５に噛合されたギヤ４２が異形軸４３及び通しシャフト４１とともに時計方向に回動する。したがって、通しシャフト４１が回り止めされているオートシートフィーダ１８も時計方向に回動する。したがって、トラクタ１７の上方空間を広く開放することができ、トラクタ１７への連続紙の補給を容易にすることができる。
【００３９】
トラクタ１７への連続紙の補給を終了し、図７に示す状態から操作レバー４９を後方（図７において矢印Ｒ方向）に回動すると、レバー５５が時計方向に回動し、リンク５６を介して可動部材４５を前方に引く。この可動部材４５が前方へ移動する初期の過程では、異形軸４３が拡開円孔部４４ｂに位置するため、ギヤ４２が異形軸４３及び通しシャフト４１とともに反時計方向に回動する。これにより、オートシートフィーダ１８が反時計方向に回動する。この回動によりオートシートフィーダ１８のローラ５８は支持体３９のストッパ５９の後端部５９ａに達する。この時点では、切欠部４３ｂがガイド溝４４の長孔部４４ａの面と一致するので、可動部材４５からギヤ４２に作用する力により異形軸４３がギヤ４２及びオートシートフィーダ１８とともに長孔部４４ａに沿って前方に移動し、ローラ５８がＵ字形のストッパ５９の底部に当接した給紙位置でオートシートフィーダ１８が停止する。
【００４０】
なお、可動部材４５に直線方向の駆動力を付与する駆動手段４７は、オペレータの操作により回動する操作レバー４９の駆動力を可動部材４５に伝達するように構成したが、モータ等を駆動源としてもよい。
【００４１】
【発明の効果】
請求項１記載の発明は、印字装置にその後方から連続紙を給紙するトラクタの上部に配置されて前記印字装置に単票を給紙するオートシートフィーダと、前記印字装置の後部に配置されて前記オートシートフィーダを給紙位置から前記トラクタの上面を開放する後方位置に向けて後退自在に支持する支持手段とを具備するので、トラクタに連続紙を補給する場合には、オートシートフィーダを給紙位置から後方位置に後退させてトラクタの上方空間を開放することができ、したがって、トラクタへの連続紙の供給を容易に行うことができる。また、前記支持手段は、前記オートシートフィーダを給紙位置から後方位置に向けて直線方向に移動自在に支持するとともに、前記給紙位置から前記後方位置に向けて一定距離離れた任意位置で前記印字装置側の前端側が上方に向けて回動可能に支持するように構成されているので、オートシートフィーダを直線方向に後退させることにより、オートシートフィーダを印字装置に干渉させることなく回動させてトラクタの上方空間を開放することができる。したがって、印字装置の後面にオートシートフィーダとの干渉を避けるための凹状の逃げを形成する必要がない。これにより、印字装置の後面のデザインを損なうことがない。
【００４４】
請求項２記載の発明は、請求項１記載の発明において、前記支持手段は、前部にデータ入力用のキーボードを備えた装置本体の後部に配置される。したがって、支持手段は、印字装置の後方方向へのオートシートフィーダの移動距離を短くしてトラクタの上方空間を開放することができるため、印字装置の後方のスペースを短縮することができ、これにより、キーボードを操作する場合に机上に腕を置くスペースを確保し、キーボードの操作性を向上させることができる。
【００４５】
請求項３記載の発明は、印字装置にその後方から連続紙を給紙するトラクタの上方に配置されて前記印字装置に単票を給紙するオートシートフィーダと、前記印字装置の後部側で対向配置されて前記オートシートフィーダを給紙位置から前記トラクタの上方空間を開放する後方位置に向けて後退自在に支持する支持体と、前記支持体と対向する前記オートシートフィーダの側面に回転自在に支持されたスプロケットホイール又はギヤ等の回転輪と、この回転輪を正逆回転させる駆動手段と、前記支持体に前方から後方に延出するように固定的に設けられ前記回転輪が噛合されたラック部とを具備するので、回転輪は回転によりラック部上を転動するため、回転輪を一方向に回転させることでオートシートフィーダを給紙位置から後方位置に後退させてトラクタの上方空間を開放することが可能できる。したがって、トラクタへの連続紙の供給を容易に行うことができる。
【００４６】
請求項４記載の発明は、請求項３記載の発明において、前記支持体は、前記給紙位置から前記後方位置への後退期間の前期間では前記オートシートフィーダの直線方向の動きのみを許容し後退期間の後期間では前記回転輪を支点とする前記オートシートフィーダのその前端が持ち上がる方向の回動運動を許容する規制ガイドを具備するので、回転輪は回転によりラック部上を転動するため、回転輪を一方向に回転させることでオートシートフィーダを給紙位置から後方位置に向けて後退させる。この際に、後退期間の前期間ではオートシートフィーダを規制ガイドにより直線的に後退させ、後期間ではオートシートフィーダをその前端が持ち上がる方向に回動させてトラクタの上方空間を開放することができる。また、オートシートフィーダを回動させてトラクタの上方空間を開放することにより、奥方向への設置スペースを短縮することができる。さらに、オートシートフィーダを後退させる場合に、その後退期間の前期間ではオートシートフィーダを規制ガイドにより直線的に後退させることができるため、印字装置の後面にオートシートフィーダとの干渉を避けるための凹状の逃げを形成する必要がない。これにより、印字装置の後面のデザインを損なうことがない。
【００４７】
請求項５記載の発明は、印字装置にその後方から連続紙を給紙するトラクタの上部に配置されて前記印字装置に単票を給紙するオートシートフィーダと、前記印字装置の後部側で対向配置された支持体と、前記オートシートフィーダの両側面に固定的に支持されたスプロケットホイール又はギヤ等の回転輪と、円筒部の一部に切欠部が形成されて前記回転輪と同軸上で一体に回動可能な異形軸と、前記支持体に形成されて前記異形軸の回転運動を阻止した状態で前記オートシートフィーダを給紙位置から前記トラクタの上部空間を開放する後方位置に向けて移動可能なように前記異形軸を直線方向に摺動可能に支持する長孔部とこの長孔部の後端から拡開されて前記異形軸の回動運動を許容する拡開円孔部とを有するガイド溝と、前記支持体の前記ガイド溝に沿う直線方向に往復動自在に設けられて前記回転輪に噛合されたラック状の可動部材と、前記可動部材に直線方向の駆動力を付与する駆動手段とを具備するので、可動部材を直線方向に駆動する駆動力は回転輪に作用するが、このときに異形軸がガイド溝の長孔部に回り止めされている期間では回転輪の回転運動が阻止されるため、オートシートフィーダが異形軸及び回転輪とともに給紙位置から後方位置に向けて直線方向に後退し、異形軸がガイド溝の拡開円孔部に達した時点では、オートシートフィーダが後方位置に達し異形軸及び回転輪とともに前端が持ち上がる方向に回動しうるため、トラクタの上方空間を開放する。これにより、トラクタに連続紙を容易に補給することができる。また、オートシートフィーダを直線方向に後退させてから前端が持ち上がる方向に回動させることができるため、印字装置の後面にオートシートフィーダとの干渉を避けるための凹状の逃げを形成する必要がなく、これにより、印字装置の後面のデザインを損なうことがない。しかも、奥方向への設置スペースを短縮することができる。
【図面の簡単な説明】
【図１】本発明の第一の実施の形態における印字装置及びオートシートフィーダの概略構成を示す縦断側面図である。
【図２】オートシートフィーダを給紙位置に位置させた状態における支持手段を示す縦断側面図である。
【図３】オートシートフィーダを途中まで後退させた状態における支持手段を示す縦断側面図である。
【図４】オートシートフィーダを後退位置に位置させた状態における支持手段を示す縦断側面図である。
【図５】一方の支持体に設けた支持手段の構成を示す縦断正面図である。
【図６】本発明の第二の実施の形態を示すもので、オートシートフィーダを給紙位置に位置させた状態における支持手段を示す縦断側面図である。
【図７】オートシートフィーダを後退位置に位置させた状態における支持手段を示す縦断側面図である。
【図８】図７におけるＡ−Ａ線部で断面にして一方の支持体に設けた支持手段の構成を示す縦断正面図である。
【図９】図７におけるＢ−Ｂ線部で断面にして一方の支持体に設けた駆動手段の構成を示す水平断面図である。
【符号の説明】
Ｐ  印字装置
Ｓ  単票
６  キーボード
１６  支持体
１７  トラクタ
１８  オートシートフィーダ
２４  支持手段
３０  スプロケットホイール、回転輪
３１  ラック部
３８  支持手段
３９  支持体
４２  ギヤ、回転輪
４３  異形軸
４３ａ  円筒部
４３ｂ  切欠部
４４  ガイド溝
４４ａ  長孔部
４４ｂ  拡開円孔部
【図１】
0003759316.tif 000002
【図２】
0003759316.tif 000003
【図３】
0003759316.tif 000004
【図４】
0003759316.tif 000005
【図５】
0003759316.tif 000006
【図６】
0003759316.tif 000007
【図７】
0003759316.tif 000008
【図８】
0003759316.tif 000009
【図９】
0003759316.tif 000010